(57)【要約】【課題】  外蓋に可動出口が形成されているため、その可動出口に消しゴムの消しカスやほこり、ちりなどが付着してしまい、その付着した消しカスやほこりなどが中蓋の固定出口を介して、容器本体内に侵入してしまっていた。その結果、芯の表面に損傷を与えたり、芯に消しカスがこびり付いたりして、芯が排出されないと言った危険性もある。  また、外蓋の可動出口が露出しているため、その可動出口に付着した芯粉が筆入れ内に飛散してしまい、筆入れ内を汚してしまう危険性がある。【解決手段】  容器本体の上部に蓋体が回転自在に配置された替芯容器であって、前記容器本体と蓋体の横断面形状を偏平な形状となすと共に、前記蓋体の少なくとも容器本体との接触面を閉塞部とし、また、前記容器本体の天面部に芯排出孔を形成すると共に、その芯排出孔を天面部の両端部に形成するが、それら両端部に形成された芯排出孔の大きさを異ならしめた替芯容器。【選択図】  図３
2011115956.tif 000002
【特許請求の範囲】
【請求項１】
容器本体の上部に蓋体が回転自在に配置された替芯容器であって、前記容器本体と蓋体の横断面形状を偏平な形状となすと共に、前記蓋体の少なくとも容器本体との接触面を閉塞部とし、また、前記容器本体の天面部に芯排出孔を形成すると共に、その芯排出孔を天面部の両端部に形成するが、それら両端部に形成された芯排出孔の大きさを異ならしめた替芯容器。
【請求項２】
前記蓋体を任意の位置で係脱可能にした請求項１記載の替芯容器。
【請求項３】
前記芯排出孔の内面の一部を容器本体の内面の一部と合わせた請求項１、或いは、請求項２に記載の替芯容器。
【請求項４】
前記扁平な容器本体、或いは、蓋体の側面に平坦部を形成した請求項１〜請求項３の何れかに記載の替芯容器。
【請求項５】
前記容器本体の天面部に回転軸を形成すると共に、その回転軸に軸支される回転孔を蓋体に形成した請求項１〜請求項４の何れかに記載の替芯容器。
【請求項６】
前記容器本体に帯電防止剤を介在させた請求項１〜請求項５の何れかに記載の替芯容器。
【発明の詳細な説明】
【技術分野】
【０００１】
本発明は、容器本体の上部に蓋体が回転自在に配置された替芯容器に関する。
【背景技術】
【０００２】
１例として、有底筒状の容器本体の開口に中蓋を嵌着すると共に、同開口に外蓋を捻回可能に嵌着し、中蓋の天壁の偏心箇所に固定出口を、また、外蓋の天壁において同固定出口に対応する箇所に可動出口を夫々開設してなるシャープペンシル用替芯の収納容器がある。
つまり、中蓋の固定出口と外蓋の可動出口とを合致させ、容器本体内の芯を排出させるというものである。
【０００３】
【特許文献１】特開２００５−１１１８７６号公報。
【発明の概要】
【発明が解決しようとする課題】
【０００４】
一般的に、上記のような替芯を収納する替芯容器は、筆入れなどに入れ収納している。その筆入れには、シャープペンシルやボールペンは勿論、消しゴムも収納されている。
ここで、上記の従来技術にあっては、外蓋に可動出口が形成されているため、その可動出口に消しゴムの消しカスやほこり、ちりなどが付着してしまい、その付着した消しカスやほこりなどが中蓋の固定出口を介して、容器本体内に侵入してしまっていた。その結果、芯の表面に損傷を与えたり、芯に消しカスがこびり付いたりして、芯が排出されないと言った危険性もある。
また、外蓋の可動出口が露出しているため、その可動出口に付着した芯粉が筆入れ内に飛散してしまい、筆入れ内を汚してしまう危険性がある。
【課題を解決するための手段】
【０００５】
本発明は、容器本体の上部に蓋体が回転自在に配置された替芯容器であって、前記容器本体と蓋体の横断面形状を偏平な形状となすと共に、前記蓋体の少なくとも容器本体との接触面を閉塞部とし、また、前記容器本体の天面部に芯排出孔を形成すると共に、その芯排出孔を天面部の両端部に形成するが、それら両端部に形成された芯排出孔の大きさを異ならしめたことを要旨とする。
【発明の効果】
【０００６】
本発明は、容器本体の上部に蓋体が回転自在に配置された替芯容器であって、前記容器本体と蓋体の横断面形状を偏平な形状となすと共に、前記蓋体の少なくとも容器本体との接触面を閉塞部とし、また、前記容器本体の天面部に芯排出孔を形成すると共に、その芯排出孔を天面部の両端部に形成するが、それら両端部に形成された芯排出孔の大きさを異ならしめたので、容器本体内に消しカスや誇りなどが進入することもなく、また、芯排出口が蓋体によって隠蔽されるため、芯粉で筆入れ内を汚してしまうようなこともない。
【図面の簡単な説明】
【０００７】
【図１】第１例を示す正面外観図。
【図２】図１の側面図。
【図３】図１の上面図。
【図４】図１の底面図。
【図５】図１の縦断面図。
【図６】作動図。
【図７】底蓋の上面外観図。
【図８】底蓋（図７）の縦断面図。
【図９】容器本体の正面外観図。
【図１０】図９の要部拡大図。
【図１１】図９の縦断面図。
【図１２】蓋体の縦断面図。
【図１３】図１２の上面外観図。
【図１４】図１２の底面外観図。
【図１５】図１２を９０度回転させたときの縦断面図。
【図１６】飾り蓋の正面外観図。
【図１７】図１６の縦断面図。
【図１８】図１６の底面図。
【図１９】第２例を示す縦断面図。
【図２０】図１９の横断面図。
【発明を実施するための形態】
【０００８】
作用について説明する。芯排出口が蓋体によって覆われる。
容器本体１は、その横断面形状が偏平な形状をなしている。具体的に説明すると、その扁平な形状をなした容器本体１は、ほぼ楕円形状をなしているが、側面の中央部に平端部２を有している。そして、その平端部２から円弧部３が形成されているが、頂部近傍においては、尖ってはいるものの、曲率半径の小さな頭部円弧部４となっている。勿論、容器本体１の内側も同様な形状をなしており、芯の収納部５となっている。
ここで前記容器本体１の側面に平端部２を形成することによって、本発明における替芯容器を搬送、或いは、陳列させる際、重合配置することができると共に、安定した陳列状態を確保することができる。
また、前記容器本体１は、射出成型などの手段によって成形されており、底部が解放されており開口部６となっている。この開口部６には、射出成型などの手段によって成形された底蓋７が嵌合している。具体的に説明すると、底蓋７の上部には、その底蓋７の外径よりも若干小径な外径を有する嵌合部７ａが形成されており、この嵌合部７ａが前記容器本体１の開口部６に嵌合している。符号７ｂは、底蓋７を成形する際の樹脂が流れ込むゲートが形成される凹部であって、ゲートの残留による容器本体１の起立性を良好なものとしている。
一方、容器本体１の上端には、天面部８が容器本体１と一体成形されているが、その天面部８には両端部、即ち、前記頭部円弧部４の近傍には、芯排出口９が対向した２個所に形成されている。しかし、それら２個所に形成された芯排出口９は、大きさが異なっており、一方が芯１〜３本分の直径（芯排出口９ａ）となっており、他方が複数の芯を排出できる大きさ（芯排出口９ｂ）、具体的には、６〜９本程度の芯が排出できる直径を有している。さらに、その芯排出口９の内面の一部は、前記収納部５の内面の一部とそれぞれの面を合わせている。それぞれの面を合わせることによって、芯がスムーズに排出されるようになっている。尚、芯排出口９には、下方に向かって傾斜する傾斜面９ｃが形成されている。
さらに、前記天面部８には、回転軸１０がその天面部８と一体成形されている。即ち、容器本体１と天面部８と回転軸１０は、一体成形されており、組み立ての工数や部品を成型するための金型の製作費用などを減少させている。前記回転軸１０は、下端部から中間部にかけて６本の縦リブ１１が形成されている。その縦リブ１１の頂部近傍には、回転軸１０の表面に向かって傾斜する傾斜面１２が形成されている。この縦リブ１１は、後述する蓋体の内壁面と係合して任意の位置で係脱が可能なものとなっている。本例においては、この縦リブ１１が６０度の間隔をおいて形成されているため、蓋体は６０度の間隔で係脱が可能なものとなっている。しかし、本例に限定されることはなく、例えば、３０度の間隔で縦リブを形成しても良く、或いは、９０度の間隔で形成しても良い。蓋体の回転軸１０に対す係脱が、細かくなったり、大きくなったりする。
また、回転軸１０の上部には、円周溝１３が形成されており、頂部は円錐部１４となっている。後述する蓋体をこの回転軸１０に挿着し易くしているのである。
【０００９】
前記容器本体１の上部、即ち、天面部８の上面には蓋体１５が配置されており、天面部１８に形成されている芯排出口９を閉塞している。いる。その蓋体１５について詳述する。この蓋体１５も射出成型によって成形されている。そして、前記容器本体１と同様に、その外形がほぼ楕円形状をなしているが、側面の中央部に平端部１６を有している。そして、その平端部１６から円弧部１７が形成されているが、頂部近傍においては、尖ってはいるものの、曲率半径の小さな頭部円弧部１８となっている。また、蓋体１５は、比較的長い筒状部１９を上方に向けて有しており、その筒状部１９の内側は中空部２０となっている。この中空部２０を形成することによって、射出成型の際の「ヒケ」と称される凹みが防止されると共に、例えば、その中空部２０に収納する芯の硬度や芯径、芯の色を表示した表示部材、或いは、芯の特徴などを記載した説明書や、キャラクタ人形などの装飾具を挿着することができる。また、蓋体１５に比較的長い筒状部１９を形成することによって、その蓋体１５と容器本体１との相対的な回転が容易となり、芯の排出動作がスムーズなものとなる。ちなみに、手のひらで容器本体１を保持し、親指で蓋体１５を回転させると言った、片手での排出操作も可能となる。
さらに、蓋体１５の中央部には、上方に向かって延設された筒状の回転筒２１が一体成形されている。そして、その回転筒２１には、前記容器本体１の回転軸１０が回転自在に挿着している。つまり、蓋体１５と容器本体１は、相対的な回転が可能なものとなっている。
また、前記回転筒２１の内側の下方には、前記回転軸１０の縦リブ１１と係脱する内面リブ２２が１２個所の位置に放射状に形成されている。そして、その内面リブ２２の上方には、前記回転軸１０の円周溝１３に係合する縮径部２３が形成されている。これら円周溝１３と縮径部２３との係合によって、蓋体１５と容器本体１との分離が防止されていると共に、相対的な回転が可能なものとなっている。
【００１０】
前記蓋体１５の上部開口部２４には、飾り蓋２５が嵌合している。この飾り蓋２５も射出成型によって成形されたものである。蓋体１５と飾り蓋２５を別部品で構成することによって、例えば、飾り蓋２５に着色することによって、芯径や芯の色などを表示させ、識別することができるようになる。
その飾り蓋２５の側面には、前記蓋体１５の嵌合突起と嵌合する嵌合凹部２６が形成されており、また、飾り蓋２５の下面には、半円弧状の突起２７が対向した２個所に形成されている。半円弧状の突起２７を形成することによって、この飾り蓋２５を蓋体１５に装着する際、前記突起２７が案内部となり、容易に装着・組み立てることができる。さらに、飾り蓋２５の下面の中央部には、突起２８が形成されている。その突起２８は、回転筒２１の頂部に当接している。
【００１１】
ここで、前記容器本体１は、ポリカーボネイトやアクリロニトリルブタジエンスチレン共重合体、アクリルスチレン、ポリビニルブチラールなどの比較的硬い材質から成形されているが、底蓋７や蓋体１５、並びに、飾り蓋２５はポリプロピレン、ポリ塩化ビニルや直鎖状低密度ポリエチレン、高密度ポリエチレン、ポリオキシメチレン（アセタール）などの比較的軟らかい材質、または摩耗性に優れた材質から成形されている。つまり、相対的に回転する部材の硬さを異ならしめることによって、長期に渡って良好な嵌合や係脱・回転が得られるようになっているのである。
【００１２】
次に動作について説明する。容器本体１と蓋体１５を相対的に回転させると、回転軸１０の縦リブ１１と回転筒２１の内面リブ２２とが係脱しながらも回転し、芯排出口９が露出する。芯を１本ごとシャープペンシルに補充したい場合には、小さな芯排出口９ａを露出させ、大量に補充したい場合には、大きな芯排出口９ｂを露出させる。次いで、容器本体１を傾け、芯を補充する。
補充後においては、再び、容器本体１と蓋体１５を相対的に回転させる。これによって、前記芯排出口９は完全に閉塞される。
【００１３】
第２例を図１９、図２０に示し説明する。容器本体１の天面部２９に下面であって、芯排出口９の近傍に隔壁３０を垂下した状態で形成した例である。隔壁３０を形成することによって、芯を排出させる際、芯排出口９への芯重合配置を防止することができ、芯を容易に排出させることができるようになる。尚、芯の重合配置を防止するために、本例においては、隔壁３０を形成したが、天面部２９の下面に山型状や波型をした凹凸部を形成しても良い。
【符号の説明】
【００１４】
１      容器本体
２      平端部
３      円弧部
４      頭部円弧部
５      収納部
６      開口部
７      底蓋
８      天面部
９      芯排出口
１０      回転軸
１１      縦リブ
１２      傾斜面
１３      円周溝
１４      円錐部
１５      蓋体
１７      円弧部
１８      頭部円弧部
１９      筒状部
２０      中空部
２１      回転筒
２２      内面リブ
２３      縮径部
２４      上部開口部
２５      飾り蓋
２６      嵌合凹部
２７      突起
２８      溝
２９      天面部
３０      隔壁
【図１】
2011115956.tif 000003
【図２】
2011115956.tif 000004
【図３】
2011115956.tif 000005
【図４】
2011115956.tif 000006
【図５】
2011115956.tif 000007
【図６】
2011115956.tif 000008
【図７】
2011115956.tif 000009
【図８】
2011115956.tif 000010
【図９】
2011115956.tif 000011
【図１０】
2011115956.tif 000012
【図１１】
2011115956.tif 000013
【図１２】
2011115956.tif 000014
【図１３】
2011115956.tif 000015
【図１４】
2011115956.tif 000016
【図１５】
2011115956.tif 000017
【図１６】
2011115956.tif 000018
【図１７】
2011115956.tif 000019
【図１８】
2011115956.tif 000020
【図１９】
2011115956.tif 000021
【図２０】
2011115956.tif 000022